(57)【要約】【課題】大掛かりな架台を用いることなく、現場（折板屋根上）での煩雑な金具の設置、固定作業を軽減し、折板屋根に太陽光発電パネルを簡易に固定するための太陽光発電パネル取付金具を提供する。【解決手段】太陽光発電パネルの端末を挟持して、太陽光発電パネルの折板屋根への固定に利用される金具であって、上部にネジ山を有する第一ボルトを備え前記折板屋根の頂上平坦部に固定される締付金具と、下穴を穿設した底板、前記底板に立設する縦板及び前記縦板に垂設され上穴を穿設した上板からなる縦断面略コの字型のベースと、前記ベースの底板の下穴の上部を覆い上面に上面穴が穿設された固定部材と、前記ベースの上板の底面に係止され前記上板の上方に突出する第二ボルトと、前記太陽光発電パネルの一辺を前記ベースの上板とで挟持する端末押さえ金具とからなる太陽光発電パネル取付金具とした。【選択図】図１
2017040065.tif 000002
【特許請求の範囲】
【請求項１】
太陽光発電パネルの端末を挟持して、太陽光発電パネルの折板屋根への固定に利用される金具であって、
上部にネジ山を有する第一ボルトを備え前記折板屋根の頂上平坦部に固定される締付金具と、
下穴を穿設した底板、前記底板に立設する縦板及び前記縦板に垂設され上穴を穿設した上板からなる縦断面略コの字型のベースと、
前記ベースの底板の下穴の上部を覆い上面に上面穴が穿設された固定部材と、
前記ベースの上板の底面に係止され前記上板の上方に突出する第二ボルトと、
前記太陽光発電パネルの一辺を前記ベースの上板とで挟持する端末押さえ金具と、
からなり、
前記折板屋根の頂上平坦部に固定された前記締付金具の第一ボルトを、前記ベースの下穴、前記固定部材の上面穴に挿通した上で、前記第一ボルトと前記固定部材をナットで固定し、前記第二ボルトに前記端末押さえ金具を固定し、前記ベースの上板とで、前記太陽光発電パネルを挟持し、前記太陽光発電パネルを折板屋根に固定することを特徴とする太陽光発電パネル取付金具。
【請求項２】
隣り合う太陽光発電パネルを挟持連結して、太陽光発電パネルの折板屋根への固定に利用される金具であって、
上部にネジ山を有する第一ボルトを備え前記折板屋根の頂上平坦部に固定される締付金具と、
下穴を穿設した底板、前記底板に立設する縦板及び前記縦板に垂設され上穴を穿設した上板からなる縦断面略コの字型のベースと、
前記ベースの底板の下穴の上部を覆い上面に上面穴が穿設された固定部材と、
前記ベースの上板の底面に係止され前記上板の上方に突出する第二ボルトと、
前記隣り合う太陽光発電パネルの各一辺を前記ベースの上板とで挟持する連結金具と、
からなり、
前記折板屋根の頂上平坦部に固定された前記締付金具の第一ボルトを、前記ベースの下穴、前記固定部材の上面穴に挿通した上で、前記第一ボルトと前記固定部材をナットで固定し、前記第二ボルトに前記連結金具を固定し、前記ベースの上板とで、前記太陽光発電パネルを挟持し、前記太陽光発電パネルを折板屋根に固定することを特徴とする太陽光発電パネル取付金具。
【請求項３】
前記ベースと、前記固定部材と、前記第二ボルトとが、仮組されていることを特徴とする請求項１又は請求項２に記載の太陽光発電パネル取付金具。
【請求項４】
前記ベースと前記固定部材の固定が、接着剤により固定したことを特徴とする請求項３に記載の太陽光発電パネル取付金具。
【請求項５】
前記ベースの上穴に、前記第一ボルトに前記ナットを固定する工具を挿入するに際し、前記第二ボルトを退避するための長孔を連設したことを特徴とする請求項１〜請求項４の何れか１項に記載の太陽光発電パネル取付金具。
【請求項６】
前記上板の底面に係止され、前記第二ボルトの前記上穴からの離脱を防止するプレートを備えることを特徴とする請求項１〜請求項５の何れか１項に記載の太陽光発電パネル取付金具。
【請求項７】
前記ベースの上板に、前記太陽光発電パネルを係止する突起を設けたことを特徴とする請求項１〜請求項６の何れか１項に記載の太陽光発電パネル取付金具。
【請求項８】
前記ベースの縦板に、太陽光発電パネルの配線を挿入する横穴を穿設したことを特徴とする請求項１〜請求項７の何れか１項に記載の太陽光発電パネル取付金具。
【請求項９】
前記締付金具が、穴が穿設された止板と、
前記止板の穴に挿通し、上部にネジ山を有し、下部が前記折板屋根の頂上平坦部に穿設された穴に挿入される前記第一ボルトと、
前記第一ボルトに挿通し、前記止板の底部に位置して前記折板屋根に穿設された穴の周りをシールするシール材と、
前記第一ボルトの前記止板下部に挿入される筒状のソケットと、
前記第一ボルトの下端部に放射状に羽根が前記ソケット側に折り返されて連設した押さえと、
前記第一ボルトの上方から螺合したナットと、
からなり、
前記第一ボルトの下部を前記折板屋根の頂上平坦部に穿設された穴に挿入し、前記ナットを締め付けることで、前記第一ボルトが上方に移動しつつ、前記ソケットが前記第一ボルトと前記押さえの羽根との間に嵌入し、前記羽根を展開させ、前記止板と前記羽根で、前記折板屋根の頂上平坦部を挟持し、前記折板屋根に固定されることを特徴とする請求項１〜請求項８の何れか１項に記載の太陽光発電パネル取付金具。
【請求項１０】
折板屋根に一列に配置される太陽光発電パネルの端末である上下辺のそれぞれ二箇所を、請求項１に記載の太陽光発電パネル取付金具で、前記折板屋根に固定することを特徴とする太陽光発電パネル取付金具セット。
【請求項１１】
上下に複数段配置される太陽光発電パネルにおいて、前記太陽光発電パネルの端末である最上段の上辺及び最下段の下辺のそれぞれ二箇所を、請求項１に記載の太陽光発電パネル取付金具で挟持し、上下段に前記隣り合う太陽光発電パネルのそれぞれの上辺及び下辺のそれぞれ二箇を、請求項２に記載の太陽光発電パネル取付金具で連結挟持し、前記太陽光発電パネルを前記折板屋根に固定することを特徴とする太陽光発電パネル取付金具セット。
【発明の詳細な説明】
【技術分野】
【０００１】
本発明は、大掛かりな架台を用いることなく、現場（折板屋根上）での煩雑な金具の設置、固定作業を軽減し、折板屋根に太陽光発電パネルを簡易に固定するための太陽光発電パネル取付金具に関する。
【背景技術】
【０００２】
折板屋根に、太陽光発電パネルを固定する手段として、特許文献１−４などが開発されている。
【０００３】
特許文献１の発明は、使用する太陽電池モジュールの大きさに限定されず、そのままの形で、陸屋根上にも平坦な折板屋根上にも設置でき、保存や搬送に適しており、相互に接続が容易で所定の広さの太陽光発電装置を作成できる架台装置である。
【０００４】
詳しくは、太陽電池パネルの側面を保持して太陽光発電装置用の太陽電池モジュールを形成する太陽光発電装置の架台装置であって、
３本のアーム１１〜１３から構成され、このアーム相互の２箇所に角度調整が可能なヒンジ機構１５、１６が設けられている架台において、アームのうちの１つである第１のアーム１１に架台装置固定のための固定部材１４を取り付け、陸屋根上に固定するときはこの固定部材１４の裏面にのみ接着剤を塗布して接着固定することを特徴とする。
【０００５】
しかしながら、特許文献１の発明は、図６に見えるように、大掛かりな装置で、かつ煩雑な太陽光発電パネルの設置作業を伴う点が問題である。
【０００６】
特許文献２の発明は、薄鋼板からなる折板屋根に対して太陽光発電パネル取り付け用架台を固定するにあたり、前記折板屋根の上面側からのみの施工によって前記折板屋根の剛性を最大限に活用した、確実な固定を可能とする施工方法であって、
長尺ナット５を折板屋根１の上面側からし下面側へ挿入し、前記ナット５を前記折板屋根１の下面側へ吊り下げた状態で、ボルト６を挿入し完全に締めこまない状態で一時的に螺合させ、その後、前記ボルト６を更に締めこむことによって前記ナット５を一方向に前記ボルト６と共に回転させ、前記ナット５の外周面の一部が前記折板屋根１の下面側の周壁に当接することで前記ボルト６と前記ナット５の螺合が促進されて完全固定されることで、施工完了時における前記ナット５の方向を均一にすることを特徴とする。
【０００７】
しかしながら、特許文献２の発明は、太陽光発電パネ取り付け用架台を固定する施工方法、及びナットであり、大掛かりな架台を用いる点、煩雑な作用を伴い、コストも掛かる。
【０００８】
特許文献３の発明は、強風に煽られても破損されずにパネルを長期間固定しておくことが可能となる金属折板屋根におけるパネル支持構造であって、
建物のＨ形鋼１のフランジ上面のタイトフレーム３に、波形の折板４が固定される金属折板屋根において、折板４の山部のタイトフレームの固定部を挟んで一対のボルト孔８、８を設け、そのボルト孔８、８の上から係着ボルト７、７を差し込んでＨ字鋼１上側のフランジ２の両側に係着ボルト７、７を係着させ、折板４の上に突出した係着ボルト７のネジ部７ｂ及びタイトフレーム３の固定部の上に三孔座金板９を装着して折板４を挟んで固定ボルト１２で締め付け固定し、さらに三孔座金板９の上に突出した係着ボルト７に硬質ゴムパッキン１３を介して両側の傾斜面部１８ｂの下部に谷筋当接面部１８ｃを備えたパッキン押え板１８を装着し、その上に突出させたネジ部７ｂに螺着した固定ナット２３で締め付け固定することを特徴とする。
【０００９】
しかしながら、特許文献３の発明は、架台を用いるものでないものの、建物１のフランジ上面のタイトフレーム３に、係止ボルト７、７を係着させ、硬質ゴムパッキン１３、パッキン押え板１８等を用いる複雑な組み立てを現場（折板屋根上部）で行う必要があり、作業性に問題があった。
【００１０】
特許文献４の発明は、強風に煽られても破損されずに太陽光発電パネルなどを長期間固定しておくことが可能となる金属折板屋根におけるパネル支持構造であって、
建物の梁であるＨ形鋼１のフランジ上面に溶接されたタイトフレーム３に、建物の天井を覆う波形の折板４が固定される金属折板屋根において、折板４の山筋にタイトフレームの上向きボルト孔６を挟んで一対のボルト孔８、８を設け、ボルト孔８、８の上から係着ボルト７、７を差し込んでＨ字鋼１のフランジ２の下面２ｂの両側に係着ボルト７、７を係着させ、折板４の上に突出した係着ボルト７のネジ部７ｂ及び上向きボルト６の上に三孔座金板９を装着して折板４をタイトフレーム３に固定ボルト１２で締め付け固定し、さらに三孔座金板９の上に硬質ゴムパッキン１３及び金属製のパッキン押え板１８を係着ボルト７のネジ部７ｂを突出させて装着して固定ナット２３で締め付け固定することを特徴とする。
【００１１】
しかしながら、特許文献４の発明は、特許文献３と同様に、複雑な組み立てを現場（折板屋根上部）で行う必要があり、作業性に問題があった。また、ライナー３１等を用いるため、架台を固定するもので大掛かりな装置である点、問題である。
【先行技術文献】
【特許文献】
【００１２】
【特許文献１】特開２０１３−０２３８２７号公報
【特許文献２】特開２０１２−０３１６７２号公報
【特許文献３】特開２０１０−０７１０３９号公報
【特許文献４】特開２０１０−０２４６１９号公報
【発明の概要】
【発明が解決しようとする課題】
【００１３】
そこで、本発明は、大掛かりな架台を用いることなく、現場（折板屋根上）での煩雑な金具の設置作業を軽減し、折板屋根に太陽光発電パネルを簡易に固定することができる太陽光発電パネル取付金具を提供することを目的とする。
【課題を解決するための手段】
【００１４】
本発明は、上記課題を解決するため、
（１）
太陽光発電パネルの端末を挟持して、太陽光発電パネルの折板屋根への固定に利用される金具であって、
上部にネジ山を有する第一ボルトを備え前記折板屋根の頂上平坦部に固定される締付金具と、
下穴を穿設した底板、前記底板に立設する縦板及び前記縦板に垂設され上穴を穿設した上板からなる縦断面略コの字型のベースと、
前記ベースの底板の下穴の上部を覆い上面に上面穴が穿設された固定部材と、
前記ベースの上板の底面に係止され前記上板の上方に突出する第二ボルトと、
前記太陽光発電パネルの一辺を前記ベースの上板とで挟持する端末押さえ金具と、
からなり、
前記折板屋根の頂上平坦部に固定された前記締付金具の第一ボルトを、前記ベースの下穴、前記固定部材の上面穴に挿通した上で、前記第一ボルトと前記固定部材をナットで固定し、前記第二ボルトに前記端末押さえ金具を固定し、前記ベースの上板とで、前記太陽光発電パネルを挟持し、前記太陽光発電パネルを折板屋根に固定することを特徴とする太陽光発電パネル取付金具。
（２）
隣り合う太陽光発電パネルを挟持連結して、太陽光発電パネルの折板屋根への固定に利用される金具であって、
上部にネジ山を有する第一ボルトを備え前記折板屋根の頂上平坦部に固定される締付金具と、
下穴を穿設した底板、前記底板に立設する縦板及び前記縦板に垂設され上穴を穿設した上板からなる縦断面略コの字型のベースと、
前記ベースの底板の下穴の上部を覆い上面に上面穴が穿設された固定部材と、
前記ベースの上板の底面に係止され前記上板の上方に突出する第二ボルトと、
前記隣り合う太陽光発電パネルの各一辺を前記ベースの上板とで挟持する連結金具と、
からなり、
前記折板屋根の頂上平坦部に固定された前記締付金具の第一ボルトを、前記ベースの下穴、前記固定部材の上面穴に挿通した上で、前記第一ボルトと前記固定部材をナットで固定し、前記第二ボルトに前記連結金具を固定し、前記ベースの上板とで、前記太陽光発電パネルを挟持し、前記太陽光発電パネルを折板屋根に固定することを特徴とする太陽光発電パネル取付金具。
（３）
前記ベースと、前記固定部材と、前記第二ボルトとが、仮組されていることを特徴とする（１）又は（２）に記載の太陽光発電パネル取付金具。
（４）
前記ベースと前記固定部材の固定が、接着剤により固定したことを特徴とする（３）に記載の太陽光発電パネル取付金具。
（５）
前記ベースの上穴に、前記第一ボルトに前記ナットを固定する工具を挿入するに際し、前記第二ボルトを退避するための長孔を連設したことを特徴とする（１）〜（４）の何れかに記載の太陽光発電パネル取付金具。
（６）
前記上板の底面に係止され、前記第二ボルトの前記上穴からの離脱を防止するプレートを備えることを特徴とする（１）〜（５）の何れかに記載の太陽光発電パネル取付金具。
（７）
前記ベースの上板に、前記太陽光発電パネルを係止する突起を設けたことを特徴とする（１）〜（６）の何れかに記載の太陽光発電パネル取付金具。
（８）
前記ベースの縦板に、太陽光発電パネルの配線を挿入する横穴を穿設したことを特徴とする（１）〜（７）の何れかに記載の太陽光発電パネル取付金具。
（９）
前記締付金具が、穴が穿設された止板と、
前記止板の穴に挿通し、上部にネジ山を有し、下部が前記折板屋根の頂上平坦部に穿設された穴に挿入される前記第一ボルトと、
前記第一ボルトに挿通し、前記止板の底部に位置して前記折板屋根に穿設された穴の周りをシールするシール材と、
前記第一ボルトの前記止板下部に挿入される筒状のソケットと、
前記第一ボルトの下端部に放射状に羽根が前記ソケット側に折り返されて連設した押さえと、
前記第一ボルトの上方から螺合したナットと、
からなり、
前記第一ボルトの下部を前記折板屋根の頂上平坦部に穿設された穴に挿入し、前記ナットを締め付けることで、前記第一ボルトが上方に移動しつつ、前記ソケットが前記第一ボルトと前記押さえの羽根との間に嵌入し、前記羽根を展開させ、前記止板と前記羽根で、前記折板屋根の頂上平坦部を挟持し、前記折板屋根に固定されることを特徴とする（１）〜（８）の何れかに記載の太陽光発電パネル取付金具。
（１０）
折板屋根に一列に配置される太陽光発電パネルの端末である上下辺のそれぞれ二箇所を、（１）に記載の太陽光発電パネル取付金具で、前記折板屋根に固定することを特徴とする太陽光発電パネル取付金具セット。
（１１）
上下に複数段配置される太陽光発電パネルにおいて、前記太陽光発電パネルの端末である最上段の上辺及び最下段の下辺のそれぞれ二箇所を、（１）に記載の太陽光発電パネル取付金具で挟持し、上下段に前記隣り合う太陽光発電パネルのそれぞれの上辺及び下辺のそれぞれ二箇を、（２）に記載の太陽光発電パネル取付金具で連結挟持し、前記太陽光発電パネルを前記折板屋根に固定することを特徴とする太陽光発電パネル取付金具セット。
とした。
【発明の効果】
【００１５】
本発明は、上記構成であるので、大掛かりな架台を用いることなく、現場（折板屋根上）での煩雑な金具の設置、固定作業を軽減し、太陽光発電パネルを折板屋根に簡易かつ短い施工時間で固定することができる。予め、前記ベースと、前記固定部材と、前記第二ボルト（ストッパ）を仮組しておけば、なお一層簡易かつ短時間で、太陽光発電パネルを折板屋根に設置することができる
【図面の簡単な説明】
【００１６】
【図１】本発明である太陽光発電パネル取付金具セットで、上下複数段配置される太陽光発電パネルを、頂上平坦部を備える折板屋根に固定したときの斜視模式図である。
【図２】図１において、太陽光発電パネルを除去したときの模式図で、太陽光発電パネル取付金具について、一部分解図で示した。
【図３】本発明である太陽光発電パネル取付金具セットで、上下複数段、左右複数列配置される太陽光発電パネルを、頂上平坦部を備える折板屋根に固定したときの正面模式図である。
【図４】第一の実施形態である、端末用の太陽光発電パネル取付金具の分解斜視図（Ａ）、組み立てられたときの第一形態の斜視図（Ｂ１）、第二形態の斜視図（Ｂ２）である。Ｂ１、Ｂ２は、相互に下方端末又は上端末の何れかの挟持に用いられる。
【図５】第二の実施形態である、上下段に隣り合う太陽光発電パネルの連結用の太陽光発電パネル取付金具の分解斜視図（Ａ）、組み立てられたときの斜視図（Ｂ）である。
【図６】第一の実施形態である、端末用の太陽光発電パネル取付金具で、太陽光発電パネルの上下のそれぞれ一辺を挟持したときの拡大正面図である。
【図７】第一の実施形態である、端末用の太陽光発電パネル取付金具で、太陽光発電パネルの上下のそれぞれ一辺を挟持したときの拡大右側面図である。
【図８】第二の実施形態である、連結用の太陽光発電パネル取付金具で、上下段に隣り合う太陽光発電パネルのそれぞれの一辺を連結挟持したときの拡大正面図である。
【図９】二の実施形態である、連結用の太陽光発電パネル取付金具で、上下段に隣り合う太陽光発電パネルのそれぞれの一辺を連結挟持したときの拡大右側面図である。
【図１０】本発明である太陽光発電パネル取付金具を構成する、ベースと固定部材とストッパと連結金具の仮組の説明図である。第一〜第三工程で、それらは仮組される。
【発明を実施するための形態】
【００１７】
以下、添付図面に基づき、本発明の実施の形態について詳細に説明する。ただし、本発明はそれら実施形態に限定されるものではない。
【実施例１】
【００１８】
本発明である太陽光発電パネル取付金具セット８は、図１−１０に示すように、折板屋根１０の頂上平坦部１０ａに固定され、太陽光発電パネル２０を挟持して折板屋根１０に太陽光発電パネル２０を固定する太陽光発電パネル取付金具１、１ａからなる。
【００１９】
図１、２においては、上下に複数段配置される太陽光発電パネル２０、２０において、太陽光発電パネル２０の端末である最上段の上辺２０ａ及び最下段の下辺２０ｂのそれぞれ二箇所を太陽光発電パネル取付金具１で挟持し、上下段に隣り合う太陽光発電パネル２０、２０のそれぞれの上辺２０ｃ及び下辺２０ｄのそれぞれ二箇を太陽光発電パネル取付金具１ａ、１ａで連結挟持して、太陽光発電パネル２０、２０を折板屋根１０に固定する。
【００２０】
なお、太陽光発電パネルを折板屋根１０に横方向に一列に配置する場合には、折板屋根１０に一列に配置される太陽光発電パネルの端末である上下辺のそれぞれ二箇所を、太陽光発電パネル取付金具１で、折板屋根１０に固定する。
【００２１】
折板屋根１０は、工場、車庫などの鉄骨の建物に多く使われており、金属板に谷と山を形成した屋根材を重ねてなり、重ね式折板、馳式折板、嵌合式折板がある。いずれの折板式であっても、頂上平坦部１０ａに、本発明の太陽光発電パネル取付金具１、１ａは固定できる。
【実施例２】
【００２２】
太陽光発電パネル取付金具１は、太陽光発電パネル２０の端末を挟持して、太陽光発電パネル２０の折板屋根１０への固定に利用される金具であって、締付金具２と、ベース３と、固定部材４と、第二ボルト５ｄを含むストッパ５と、端末押さえ金具６と、からなる。
【００２３】
締付金具２は、上部にネジ山を有する第一ボルト２ｂを備え、折板屋根１０の頂上平坦部１０ａに固定されるものであればよい。例えば、株式会社サカタ製作所製のルーフボルト（https://sakata-s.co.jp/products/fs_p06.php）が例示できる。馳式折板屋根の馳部には固定できない。
【００２４】
ここでの締付金具２は、より詳しくは、図４に示したように、穴が穿設された止板２ａと、止板２ａの穴に挿通し、上部にネジ山を有し、下部が折板屋根１０の頂上平坦部１０ａに穿設された穴１０ｂに挿入される第一ボルト２ｂと、第一ボルト２ｂに挿通し、止板２ａの底部に位置して折板屋根１０に穿設された穴１０ｂの周りをシールするシール材２ｃと、第一ボルト２ｂの止板下部に挿入される筒状のソケット２ｄと、第一ボルト２ｂの下端部に放射状に羽根２ｇがソケット２ｄ側に折り返されて連設した押さえ２ｅと、第一ボルト２ｂの上方から螺合するナット２ｆと、からなる。
【００２５】
このようにしてなる締付金具２は、第一ボルト２ｂの下部を折板屋根１０の頂上平坦部１０ａに穿設された穴１０ｂに挿入され、ナット２ｆを締め付けることで、第一ボルト２ｂが上方に移動しつつ、ソケット２ｄが第一ボルト２ｂと押さえ２ｅの羽根２ｇとの間に嵌入し、羽根２ｇを花びら状に展開させ、止板２ａと羽根２ｇで、折板屋根１０の頂上平坦部１０ａを挟持し、折板屋根１０に固定される。その後、ベース３を取り付ける前に、シール材２ｃ及び止板２ａの周囲の折板屋根１０にコーキング剤を塗布して、防水性を高めとよい。
【００２６】
ベース３は、下穴３ｃを穿設した底板３ａ、底板３ａに立設する縦板３ｄ及び縦板３ｄに垂設され上穴３ｈを穿設した上板３ｆからなる縦断面略コの字型の部材である。ベース３は、一枚の金属板を折曲げて加、成型すると生産性がよい。同様に、端末押さえ金具６、連結金具７も、一枚の金属板を折曲げ加工するとよい。
【００２７】
底板３ａの端部には、斜め下方向に向け、板状の屈曲部３ｂが設けられている。底板３ａが折板屋根１０の頂上平坦部１０ａに当接し、屈曲部３ｂは山部の傾斜に係止され、ベース３の回転を防止する。下穴３ｃには、締付金具２のナット２ｆ及びボルト２ｂが位置する。
【００２８】
縦板２ｄには、太陽光発電パネル２０の配線を挿入する横穴３ｅが穿設される。前記配線を横穴３ｅに通すことで、工具、足の引っかかりなどがなくなり、作業の安全性が確保されるとともに、破損を防止し、引き回しの見た目が整い、さらに、また熱、雨水などによる経年劣化を防止するとともに、漏電防止にもなる。
【００２９】
上板３ｆには、太陽光発電パネル２０の裏側の返し２０ｅの脱落を防止する突起３ｋ、３ｋが、コの字型の開口と直交する左右側面に設けられている。ここでは、上板３ｆの一部を折曲げて形成している。折曲げられた突起３ｋは、部材点数を減らす点で、合理的である。
【００３０】
上板３ｆの上穴３ｈに、第一ボルト２ｂにナット３ｍを固定する工具を挿入するに際し、第二ボルト５ｂを退避するための長孔３ｉが連設されている。長孔３ｉは、上穴３ｈに１つ連設させてもよいが、左右に２つ連設することで作業性がよく、また端末押さえ金具６、後述の連結金具７の位置調整に資する。
【００３１】
ベース３の角（底板３ａと縦板３ｄの連設部に形成される角、縦板３ｄと上板３ｆの連設部に形成された角）には、図４、５等に示すように、コの字の内側に窪ませた凹部３ｇを複数箇所に設け、ベース３の変形に対する強度を付与するとよい。
【００３２】
固定部材４は、ここでは、ベース３の底板３ａの下穴３ｃの上部に空間を空け凸状に覆い上面に上面穴４ａが穿設されている。空間には、締付金具２の第一ボルト２ｂが挿通し、ナット２ｆが位置する。固定部材４とベース３の底板３ａとの連結は、凸部の左右に連設する板に穿設した穴４ｂ、４ｂにおいて底板３ａｎボルト留めする、或いは穴４、４ｂに相当する位置の底板３ａに突起３ｎも設け、突起３ｎ、３ｎと穴４ｂ、４ｂを嵌合させ、さらに接着剤などの仮留めでもよい（図１０第二工程参照）。
【００３３】
ストッパ５は、ベース３の上板３ｆの底面に係止される穴５ｂが穿設されたプレート５ａと、穴５ｂに挿通した上でベースの上穴３ｈに挿通し、ワッシャ５ｆを嵌めた上で、上板３ｆの上方に突出し、ナット５ｇが螺合する第二ボルト５ｄとからなる。プレート５ａと第二ボルト５ｄとの間にワッシャ５ｃを介在させてもよい。プレート５ａを挿通し、上穴３ｈを挿通した、第二ボルト５ｄとナット５ｇが螺合することで、ストッパ５は仮留め段階でも、ベース３の上穴３ｈから脱落しない。
【００３４】
端末押さえ金具６は、太陽光発電パネル２０の一辺をベース３の上板３ｆとで挟持して、太陽光発電パネル２０を折板屋根１０に固定する。ここでは、より具体的には、端末押さえ金具６は、ベース３の上板３ｆの上面の垂直方向に位置する縦板６ａと、縦板６ａから垂直水平方向に連設する水平板６ｂと、水平板６ｂから立設する止板６ｄと、止板６ｄから垂直水平方向に連設する上板６ｅからなる。
【００３５】
水平板６ｂには穴６ｃが穿設され、第二ボルト５ｄが挿通し、ワッシャ６ｆ、Ｓワッシャ６ｇなどを嵌め、ナット６ｈが第二ボルト５ｄに螺合する。ナット６ｈの螺合で、ベース３の突起３ｋが太陽光発電パネル２０の裏面の返し２０ｅの脱落を防止し、止板６ｄに太陽光発電パネル２０の側面が当接しつつ、端末押さえ金具６の上板６ｅとベース３の上板３ｆとで、太陽光発電パネル２０を挟持する（図６、７）。なお、縦板６ａとベース３の上板３ｆとの間は少し、隙間６ｉを空けておくと、製品規格のブレ等を吸収し、端末押さえ金具６と上板３ｆとでの太陽光発電パネル２０の挟持が確実にできる。また、隙間６ｉは、端末押さえ金具６とベース３との接触で、ナット６ｈが十分締め付けられていることを確認することができる。
【００３６】
このようにしてなる太陽光発電パネル取付金具１は、折板屋根１０の頂上平坦部１０ａに固定された締付金具２の第一ボルト２ｂを、ベース３の下穴３ｃ、固定部材４の上面穴４ａに挿通した上で、第一ボルト２ｂと固定部材４をナット３ｍで固定し、第二ボルト５ｄに端末押さえ金具６を固定し、ベース３の上板３ｆとで、太陽光発電パネル２０を挟持し、太陽光発電パネル２０を折板屋根１０に固定する。
【実施例３】
【００３７】
太陽光発電パネル取付金具１ａは、隣り合う太陽光発電パネル２０を挟持連結して、太陽光発電パネル２０の折板屋根１０への固定に利用される金具であって、締付金具２と、ベース３と、固定部材４と、ストッパ５と、連結金具７と、からなる。連結金具７以外は、太陽光発電パネル取付金具１の構成と同じであるので、ここでは、説明を省略する。
【００３８】
連結金具７は、隣り合う太陽光発電パネル２０の各一辺をベース３の上板３ｆとで挟持して、太陽光発電パネル２０を折板屋根１０に固定する。ここでは、より具体的には、連結金具７は、ベース３の上板３ｆの上面に重なる底板７ａと、底板７ａの左右から立設する第一止板７ｃ及び第二止板７ｄと、第一、第二止板７ｃ、７ｄから垂直水平方向にそれぞれ連設する第一上板７ｅ及び第二上板７ｆからなる。
【００３９】
底板７ａには穴７ｂが穿設され、第二ボルト５ｄが挿通し、ワッシャ６ｆ、Ｓワッシャ６ｇなどを嵌め、ナット６ｈが第二ボルト５ｄに螺合する。ナット６ｈの螺合で、ベース３の突起３ｋが太陽光発電パネル２０の裏面の返し２０ｅの脱落を防止し、第一、第二止板７ｃ、７ｄに太陽光発電パネル２０の側面が当接しつつ、連結金具７の第一、第二上板７ｅ、７ｆとベース３の上板３ｆとで、太陽光発電パネル２０を挟持する（図８、９）。
【００４０】
このようにしてなる太陽光発電パネル取付金具１ａは、折板屋根１０の頂上平坦部１０ａに固定された締付金具２の第一ボルト２ｂを、ベース３の下穴３ｃ、固定部材４の上面穴４ａに挿通した上で、第一ボルト２ｂと固定部材４をナット３ｍで固定し、第二ボルト５ｄに連結金具７を固定し、３ベースの上板３ｆとで、太陽光発電パネル２０を挟持し、太陽光発電パネル２０を折板屋根１０に固定する。
【実施例４】
【００４１】
次に、図１０を参照して、ベース３と、固定部材４と、第二ボルト５ｄを含む（ストッパ５）との仮組について説明する。
【００４２】
・第一工程
先ず、ストッパ５を組み立てる。第二ボルト５ｄにワッシャ５ｃを嵌めた上で、プレート５ａの穴５ｂに第二ボルト５ｄを通して組み立てる。
【００４３】
・第二工程
次に、ベース３と固定部材４を組み立てる。ここでは、固定部材４の穴４ｂ、４ｂに相当する位置の底板３ａに突起３ｎ、３ｎも設け、突起３ｎと穴４ｂ、４ｂを嵌合させる。その際、それぞれの接触部に接着剤、例えばシリコン系接着剤を塗布して仮留めする。
【００４４】
・第三工程
最以後に、第一工程で組み立てたストッパ５の第二ボルト５ｄを、ベース３の上板３ｆの底面から、ベース３の上板３ｆの上穴３ｈに通した上で、ワッシャ５ｆを嵌め、さらにナット５ｇを螺合させる。これで、仮組が完了する。
【００４５】
このように、仮組しておけば、作業場所（折板屋根１０上）での作業が容易になる。締付金具２を折板屋根１０に固定した後、第一ボルト２ｂに下穴３ｃを位置させ、ベース３の上板３ｆの上穴３ｈからドライバーを差し込み、ナット３ｍを締める。その際、ストッパ５は、上穴３ｈに連設する長孔３ｉに逃がしておく。その後、太陽光発電パネル２０を上板３ｆに載置した上で、端末押さえ金具６又は連結金具７をナット６ｈで固定することで、太陽光発電パネル２０を折板屋根１０に極めて簡易かつ短時間で設置することができる。
【符号の説明】
【００４６】
１      太陽光発電パネル取付金具
１ａ    太陽光発電パネル取付金具
２      締付金具
２ａ    止板
２ｂ    第一ボルト
２ｃ    シール材
２ｄ    ソケット
２ｅ    押さえ
２ｆ    ナット
２ｇ    羽根
３      ベース
３ａ    底板
３ｂ    屈曲部
３ｃ    下穴
３ｄ    縦板
３ｅ    横穴
３ｆ    上板
３ｇ    凹部
３ｈ    上穴
３ｉ    長孔
３ｋ    突起
３ｍ    ナット
３ｎ    突起
４      固定部材
４ａ    上面穴
４ｂ    穴
５      ストッパ
５ａ    プレート
５ｂ    穴
５ｃ    ワッシャ
５ｄ    第二ボルト
５ｆ    ワッシャ
５ｇ    ナット
６      端末押さえ金具
６ａ    縦板
６ｂ    水平板
６ｃ    穴
６ｄ    止板
６ｅ    上板
６ｆ    ワッシャ
６ｇ    Ｓワッシャ
６ｈ    ナット
６ｉ    隙間
７      連結金具
７ａ    底板
７ｂ    穴
７ｃ    第一止板
７ｄ    第二止板
７ｅ    第一上板
７ｆ    第二上板
８      太陽光発電パネル取付金具セット
１０    折板屋根
１０ａ  頂上平坦部
１０ｂ  穴
２０    太陽光発電パネル
２０ａ  上辺
２０ｂ  下辺
２０ｃ  上辺
２０ｄ  下辺
２０ｅ  返し
【図１】
2017040065.tif 000003
【図２】
2017040065.tif 000004
【図３】
2017040065.tif 000005
【図４】
2017040065.tif 000006
【図５】
2017040065.tif 000007
【図６】
2017040065.tif 000008
【図７】
2017040065.tif 000009
【図８】
2017040065.tif 000010
【図９】
2017040065.tif 000011
【図１０】
2017040065.tif 000012